【手続補正書】
【提出日】平成18年12月12日(2006.12.12)
【手続補正１】
【補正対象書類名】明細書
【補正対象項目名】発明の名称
【補正方法】変更
【補正の内容】
【発明の名称】データ伝送方法及びデータ伝送装置並びにデータ受信方法及びデータ受信装置
【手続補正２】
【補正対象書類名】明細書
【補正対象項目名】特許請求の範囲
【補正方法】変更
【補正の内容】
【特許請求の範囲】
【請求項１】ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データにおける上記複数のディジタル映像信号のうちの一つについての特定の位置に対応する部分に、予め選定されたコードを有するワード同期データもしくは予め選定されたコードを有するワード同期データを含む付加ワードデータグループを挿入することにより、上記ワード同期データもしくは付加ワードデータグループを含んだ第２のワード列データを形成し、その後、８ビット／１０ビット変換手段を内蔵したパラレル／シリアル変換手段を用いて、上記第２のワード列データに８ビット／１０ビット変換処理を施すとともに、８ビット／１０ビット変換後のワード同期データもしくは付加ワードデータグループを含んだ複合ワード列データを形成し、さらに、該複合ワード列データをシリアルデータに変換して、該シリアルデータを伝送すべく送出するデータ伝送方法。
【請求項２】第１のワード列データへのワード同期データもしくは付加ワードデータグループの挿入を、上記第１のワード列データにおける複数のディジタル映像信号のうちの一つのラインブランキング期間内における所定の位置に対応する部分を、上記ワード同期データをもって置き換えることにより行うことを特徴とする請求項１記載のデータ伝送方法。
【請求項３】第１のワード列データへのワード同期データもしくは付加ワードデータグループの挿入を、上記第１のワード列データにおける複数のディジタル映像信号のうちの一つのラインブランキング期間内におけるタイミング基準コードデータを形成するワードデータに対応する部分を、上記ワード同期データをもって置き換えることにより行うことを特徴とする請求項２記載のデータ伝送方法。
【請求項４】第１のワード列データへのワード同期データもしくは付加ワードデータグループの挿入を、上記第１のワード列データにおける複数のディジタル映像信号のうちの一つのラインブランキング期間内における所定の位置に対応する部分に、上記付加ワードデータグループを挿入することにより行うことを特徴とする請求項１記載のデータ伝送方法。
【請求項５】第１のワード列データへのワード同期データもしくは付加ワードデータグループの挿入を、上記第１のワード列データにおける複数のディジタル映像信号のうちの一つのラインブランキング期間内におけるタイミング基準コードデータに先立つ位置に対応する部分に、上記付加ワードデータグループを挿入することにより行うことを特徴とする請求項４記載のデータ伝送方法。
【請求項６】付加ワードデータグループを、８ビット／１０ビット変換後における複合ワード列データ中においてランニング・ディスパリティをニュートラルとする補助ワードデータを含むものとなすことを特徴とする請求項４または請求項５記載のデータ伝送方法。
【請求項７】第１のワード列データにおける複数のディジタル映像信号のうちの一つについての特定の位置に対応する部分へのワード同期データの挿入に加えて、上記第１のワード列データにおける特定の位置に対応する部分に先立つ部分に、予め選定されたコードを有する補助ワードデータを挿入することを特徴とする請求項２または請求項３記載のデータ伝送方法。
【請求項８】第１のワード列データへの補助ワードデータの挿入を、上記第１のワード列データにおける複数のディジタル映像信号のうちの一つのラインブランキング期間内におけるタイミング基準コードデータを形成するワードデータに対応する部分を、上記補助ワードデータをもって置き換えることにより行うことを特徴とする請求項７記載のデータ伝送方法。
【請求項９】補助ワードデータを、該補助ワードデータの直前となるワードデータの８ビット／１０ビット変換後におけるランニング・ディスパリティが正である場合と負である場合とで異なるコードを有するものとなすことを特徴とする請求項７または請求項８記載のデータ伝送方法。
【請求項１０】ワード同期データを、８ビット／１０ビット変換後に複合ワード列データ中においてランニング・ディスパリティを正とするものとなすことを特徴とする請求項１から請求項９までのいずれかに記載のデータ伝送方法。
【請求項１１】ワード同期データを、８ビット／１０ビット変換後に複合ワード列データ中においてランニング・ディスパリティを負とするものとなすことを特徴とする請求項１から請求項９までのいずれかに記載のデータ伝送方法。
【請求項１２】複数のディジタル映像信号の夫々を、１０ビットワード列データのデータ形式をとる信号となすことを特徴とする請求項１から請求項１０までのいずれかに記載のデータ伝送方法。
【請求項１３】複数のディジタル映像信号とビット付加信号との組合せを、３チャンネルの１０ビットワード列データのデータ形式をとるディジタル映像信号と２ビット付加データとで形成することを特徴とする請求項１２記載のデータ伝送方法。
【請求項１４】第１のワード列データ及び第２のワード列データの夫々を８ビットワード列データとするとともに、ワード同期データを８ビットワードとし、複合ワード列データを１０ビットワード列データとすることを特徴とする請求項１３記載のデータ伝送方法。
【請求項１５】ビット同期はとられているが水平同期及び垂直同期がとられていない複数のディジタル映像信号もしくは該複数のディジタル映像信号とビット付加信号との組合せに、多重化処理を施して第１のワード列データを得るデータ多重手段と、
該データ多重手段から得られる第１のワード列データにおける上記複数のディジタル映像信号のうちの一つについての特定の位置に対応する部分に、予め選定されたコードを有するワード同期データもしくは予め選定されたコードを有するワード同期データを含む付加ワードデータグループを挿入することにより、上記ワード同期データもしくは付加ワードデータグループを含んだ第２のワード列データを形成するデータ挿入手段と、
該データ挿入手段から得られる上記ワード同期データもしくは付加ワードデータグループが挿入された第２のワード列データに、８ビット／１０ビット変換処理を施すとともに、８ビット／１０ビット変換後のワード同期データもしくは付加ワードデータグループを含んだ複合ワード列データを形成し、さらに、該複合ワード列データをシリアルデータに変換する、８ビット／１０ビット変換手段を内蔵したパラレル／シリアル変換手段と、
該８ビット／１０ビット変換手段を内蔵したパラレル／シリアル変換手段から得られるシリアルデータを伝送すべく送信する送信手段と、
を備えて構成されるデータ伝送装置。
【請求項１６】データ挿入手段が、第１のワード列データへのワード同期データもしくは付加ワードデータグループの挿入を、上記第１のワード列データにおける複数のディジタル映像信号のうちの一つのラインブランキング期間内におけるタイミング基準コードデータを形成するワードデータに対応する部分を、上記ワード同期データをもって置き換えることにより行うことを特徴とする請求項１５記載のデータ伝送装置。
【請求項１７】データ挿入手段が、第１のワード列データへのワード同期データもしくは付加ワードデータグループの挿入を、上記第１のワード列データにおける複数のディジタル映像信号のうちの一つのラインブランキング期間内におけるタイミング基準コードデータに先立つ位置に対応する部分に、上記付加ワードデータグループを挿入することにより行うことを特徴とする請求項１５記載のデータ伝送装置。
【請求項１８】ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データにおける上記複数のディジタル映像信号のうちの一つについての特定の位置に対応する部分に、予め選定されたコードを有するワード同期データもしくは予め選定されたコードを有するワード同期データを含む付加ワードデータグループを挿入することにより、上記ワード同期データもしくは付加ワードデータグループを含んだ第２のワード列データを形成し、その後、８ビット／１０ビット変換手段を内蔵したパラレル／シリアル変換手段を用いて、上記第２のワード列データに８ビット／１０ビット変換処理を施すとともに、８ビット／１０ビット変換後のワード同期データもしくは付加ワードデータグループを含んだ複合ワード列データを形成し、さらに、該複合ワード列データをシリアルデータに変換して、該シリアルデータを伝送すべく送出するデータ伝送方法に従って送出される上記シリアルデータを受信し、該シリアルデータを上記複合ワード列データに変換するとともに、該複合ワード列データに１０ビット／８ビット変換処理を施して上記第２のワード列データを得、該第２のワード列データに含まれる上記ワード同期データを所定のワードデータをもって置き換える処理、もしくは、上記第２のワード列データから上記付加ワードデータグループを分離する処理を施して上記第１のワード列データを得、該第１のワード列データから互いに分離された上記複数のディジタル映像信号もしくは上記複数のディジタル映像信号と上記ビット付加信号とを再生するデータ受信方法。
【請求項１９】ビット同期はとられているが水平同期及び垂直同期がとられていない複数のディジタル映像信号もしくは該複数のディジタル映像信号とビット付加信号との組合せに、多重化処理を施して第１のワード列データを得、該第１のワード列データにおける上記複数のディジタル映像信号のうちの一つについての特定の位置に対応する部分に、予め選定されたコードを有するワード同期データもしくは予め選定されたコードを有するワード同期データを含む付加ワードデータグループを挿入することにより、上記ワード同期データもしくは付加ワードデータグループを含んだ第２のワード列データを形成し、その後、８ビット／１０ビット変換手段を内蔵したパラレル／シリアル変換手段を用いて、上記第２のワード列データに８ビット／１０ビット変換処理を施すとともに、８ビット／１０ビット変換後のワード同期データもしくは付加ワードデータグループを含んだ複合ワード列データを形成し、さらに、該複合ワード列データをシリアルデータに変換して、該シリアルデータを伝送すべく送出するデータ伝送方法に従って送出される上記シリアルデータを受信する受信手段と、
該受信手段から得られる上記シリアルデータを上記複合ワード列データに変換するとともに、該複合ワード列データに１０ビット／８ビット変換処理を施して上記第２のワード列データを得るデータ変換・１０ビット／８ビット変換手段と、
該データ変換・１０ビット／８ビット変換手段から得られる上記第２のワード列データに含まれる上記ワード同期データを所定のワードデータをもって置き換える処理、もしくは、上記データ変換・１０ビット／８ビット変換手段から得られる上記第２のワード列データから上記付加ワードデータグループを分離する処理を施して上記第１のワード列データを得るワードデータ処理手段と、
該ワードデータ処理手段から得られる上記該第１のワード列データから互いに分離された上記複数のディジタル映像信号もしくは上記複数のディジタル映像信号と上記ビット付加信号とを再生するデータ分離手段と、
を備えて構成されるデータ受信装置。
【手続補正３】
【補正対象書類名】明細書
【補正対象項目名】０００１
【補正方法】変更
【補正の内容】
【０００１】
【発明の属する技術分野】
本願の特許請求の範囲に記載された発明は、複数のディジタル映像信号もしくは複数のディジタル映像信号とビット付加信号との組合せに、多重化処理を施してワード列データを得、そのワード列データに、ワード同期データの挿入，８ビット／１０ビット変換等の処理を施し、さらに、シリアルデータに変換して伝送すべく送出するデータ伝送方法及びその実施に供されるデータ伝送装置、並びに、当該データ伝送方法に従って伝送されるデータを受信するデータ受信方法及びその実施に供されるデータ受信装置に関する。
【手続補正４】
【補正対象書類名】明細書
【補正対象項目名】００２１
【補正方法】変更
【補正の内容】
【００２１】
斯かる点に鑑み、本願の特許請求の範囲に記載された発明は、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、８Ｂ／１０Ｂ変換部を内蔵したＰ／Ｓ変換ＩＣ素子等の比較的容易に整えることができる手段を利用して伝送することができる、データ伝送方法及びその実施に供されるデータ伝送装置、並びに、当該データ伝送方法に従って受信されるデータを受信するデータ受信方法及びその実施に供されるデータ受信装置を提供する。
【手続補正５】
【補正対象書類名】明細書
【補正対象項目名】００２２
【補正方法】変更
【補正の内容】
【００２２】
【課題を解決するための手段】
本願の特許請求の範囲における請求項１から請求項１４までのいずれかに記載された発明に係るデータ伝送方法は、ビット同期はとられているが水平同期及び垂直同期がとられていない複数のディジタル映像信号もしくはそれらとビット付加信号との組合せに、多重化処理を施して第１のワード列データを得、第１のワード列データにおける複数のディジタル映像信号のうちの一つについての特定の位置に対応する部分に、予め選定されたコードを有するワード同期データもしくは予め選定されたコードを有するワード同期データを含む付加ワードデータグループを挿入することにより、ワード同期データもしくは付加ワードデータグループを含んだ第２のワード列データを形成し、その後、８Ｂ／１０Ｂ変換手段を内蔵したＰ／Ｓ変換手段を用いて、第２のワード列データに８Ｂ／１０Ｂ変換処理を施すとともに、８Ｂ／１０Ｂ変換後のワード同期データもしくは付加ワードデータグループを含んだ複合ワード列データを形成し、さらに、複合ワード列データをシリアルデータに変換して、そのシリアルデータを伝送すべく送出するものとされる。
そして、本願の特許請求の範囲における請求項１８に記載された発明に係るデータ受信方法は、上述の本願の特許請求の範囲における請求項１から請求項１４までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【手続補正６】
【補正対象書類名】明細書
【補正対象項目名】００２５
【補正方法】変更
【補正の内容】
【００２５】
また、本願の特許請求の範囲における請求項１５から請求項１７までのいずれかに記載された発明に係るデータ伝送装置は、ビット同期はとられているが水平同期及び垂直同期がとられていない複数のディジタル映像信号もしくはそれらとビット付加信号との組合せに、多重化処理を施して第１のワード列データを得るデータ多重手段と、データ多重手段から得られる第１のワード列データにおける複数のディジタル映像信号のうちの一つについての特定の位置に対応する部分に、予め選定されたコードを有するワード同期データもしくは予め選定されたコードを有するワード同期データを含む付加ワードデータグループを挿入することにより、ワード同期データもしくは付加ワードデータグループを含んだ第２のワード列データを形成するデータ挿入手段と、データ挿入手段から得られるワード同期データもしくは付加ワードデータグループが挿入された第２のワード列データに、８Ｂ／１０Ｂ変換処理を施すとともに、８Ｂ／１０Ｂ変換後のワード同期データもしくは付加ワードデータグループを含んだ複合ワード列データを形成し、さらに、その複合ワード列データをシリアルデータに変換する、８Ｂ／１０Ｂ変換手段を内蔵したＰ／Ｓ変換手段と、８／１０変換手段を内蔵したＰ／Ｓ変換手段から得られるシリアルデータを伝送すべく送信する送信手段と、を備えて構成される。
そして、本願の特許請求の範囲における請求項１９に記載された発明に係るデータ受信装置は、上述の本願の特許請求の範囲における請求項１から請求項１４までのいずれかに記載された発明に係るデータ伝送方法に従って送出されるシリアルデータを受信し、受信したシリアルデータから、ビット同期はとられているが水平同期及び垂直同期がとられていない複数のディジタル映像信号もしくはそれらとビット付加信号とを再生するものとされる。
【手続補正７】
【補正対象書類名】明細書
【補正対象項目名】００２８
【補正方法】変更
【補正の内容】
【００２８】
上述の如くの本願の特許請求の範囲における請求項１から請求項１４までのいずれかに記載された発明に係るデータ伝送方法、及び、本願の特許請求の範囲における請求項１８に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、ワード同期データもしくはワード同期データを含む付加ワードデータグループの挿入処理、さらには、８Ｂ／１０Ｂ変換手段を内蔵したＰ／Ｓ変換手段が用いられて行われる８Ｂ／１０Ｂ変換処理及びＰ／Ｓ変換処理を経て形成されるシリアルデータ、とされて送出される複合ワード列データには、それにおける複数のディジタル映像信号のうちの一つについての特定の位置に対応する部分に、８Ｂ／１０Ｂ変換後のワード同期データが挿入されていることになる。この８Ｂ／１０Ｂ変換後のワード同期データは、例えば、ＲＤを正とするワードデータＤＳ１０である＋Ｋ２８．５、もしくは、ＲＤを負とするワードデータＤＳ１０である−Ｋ２８．５とされる。
【手続補正８】
【補正対象書類名】明細書
【補正対象項目名】００３０
【補正方法】変更
【補正の内容】
【００３０】
このような複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１８に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正９】
【補正対象書類名】明細書
【補正対象項目名】００３１
【補正方法】変更
【補正の内容】
【００３１】
特に、本願の特許請求の範囲における請求項１から請求項１４までのいずれかに記載された発明に係るデータ伝送方法によれば、ワード同期データもしくはワード同期データを含む付加ワードデータグループが挿入された第２のワード列データに対する８Ｂ／１０Ｂ変換，それにより得られる複合ワード列データのシリアルデータへの変換、及び、変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、８Ｂ／１０Ｂ変換部を内蔵したＰ／Ｓ変換ＩＣ素子等を含む比較的容易に整えることができる手段を用いて伝送することができることになる。
【手続補正１０】
【補正対象書類名】明細書
【補正対象項目名】００３２
【補正方法】変更
【補正の内容】
【００３２】
また、本願の特許請求の範囲における請求項１５から請求項１７までのいずれかに記載された発明に係るデータ伝送装置、及び、本願の特許請求の範囲における請求項１９に記載された発明に係るデータ受信装置によれば、送信側においては、ビット同期はとられているが水平同期及び垂直同期はとられていない、各々が、例えば、複数のＤ１信号，Ｄ２信号，ＳＤＴＩ信号等とされる複数のディジタル映像信号、もしくは、斯かる複数のディジタル映像信号とビット付加信号との組合せに基づき、ワード同期データ挿入処理、さらには、８Ｂ／１０Ｂ変換手段を内蔵したＰ／Ｓ変換手段が用いられて行われる８Ｂ／１０Ｂ変換処理及びＰ／Ｓ変換処理を経て形成されるシリアルデータ、とされて送信手段により送出される複合ワード列データには、それにおける複数のディジタル映像信号のうちの一つについての特定の位置に対応する部分に、８Ｂ／１０Ｂ変換後のワード同期データが挿入されていることになる。この８Ｂ／１０Ｂ変換後のワード同期データは、例えば、ＲＤを正とするワードデータＤＳ１０である＋Ｋ２８．５、もしくは、ＲＤを負とするワードデータＤＳ１０である−Ｋ２８．５とされる。
【手続補正１１】
【補正対象書類名】明細書
【補正対象項目名】００３４
【補正方法】変更
【補正の内容】
【００３４】
このようにして送信手段により送出される、複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１９に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正１２】
【補正対象書類名】明細書
【補正対象項目名】００３５
【補正方法】変更
【補正の内容】
【００３５】
特に、本願の特許請求の範囲における請求項１５から請求項１７までのいずれかに記載された発明に係るデータ伝送装置によれば、ワード同期データもしくはワード同期データを含む付加ワードデータグループが挿入された第２のワード列データに対する８Ｂ／１０Ｂ変換，それにより得られる複合ワード列データのシリアルデータへの変換、及び、変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、８Ｂ／１０Ｂ変換部を内蔵したＰ／Ｓ変換ＩＣ素子等を含む比較的容易に整えることができる手段を用いて伝送することができることになる。
【手続補正１３】
【補正対象書類名】明細書
【補正対象項目名】０１２０
【補正方法】変更
【補正の内容】
【０１２０】
図１７は、本願の特許請求の範囲における請求項１から請求項３まで及び請求項１０から請求項１４までのいずれかに記載された発明に係るデータ伝送方法の一例に従って図１に示されるデータ伝送装置における送信部１７から送出される、複合１０ビットワード列データＤＺ（１０）が変換されて得られたシリアルデータＤＺＳに基づく光信号ＳＺを受信する、本願の特許請求の範囲における請求項１８に記載された発明に係るデータ受信方法の一例が実施される本願の特許請求の範囲における請求項１９に記載されたデータ受信装置の一例を示す。
【手続補正１４】
【補正対象書類名】明細書
【補正対象項目名】０１２９
【補正方法】変更
【補正の内容】
【０１２９】
図１９は、本願の特許請求の範囲における請求項１から請求項３まで及び請求項７から請求項１４までのいずれかに記載された発明に係るデータ伝送方法の一例に従って図５に示されるデータ伝送装置における送信部３１から送出される、複合１０ビットワード列データＤＺ（１０）が変換されて得られたシリアルデータＤＺＳに基づく光信号ＳＺを受信する、本願の特許請求の範囲における請求項１８に記載された発明に係るデータ受信方法の他の例が実施される本願の特許請求の範囲における請求項１９に記載されたデータ受信装置の他の例を示す。
【手続補正１５】
【補正対象書類名】明細書
【補正対象項目名】０１３８
【補正方法】変更
【補正の内容】
【０１３８】
図２１は、本願の特許請求の範囲における請求項１，請求項４から請求項６まで及び請求項１０から請求項１４までのいずれかに記載された発明に係るデータ伝送方法の一例に従って図９に示されるデータ伝送装置における送信部５２から送出される、複合１０ビットワード列データＤＺ（１０）が変換されて得られたシリアルデータＤＺＳに基づく伝送信号ＳＺを受信する、本願の特許請求の範囲における請求項１８に記載された発明に係るデータ受信方法のさらに他の例が実施される本願の特許請求の範囲における請求項１９に記載されたデータ受信装置のさらに他の例を示す。
【手続補正１６】
【補正対象書類名】明細書
【補正対象項目名】０１４８
【補正方法】変更
【補正の内容】
【０１４８】
【発明の効果】
以上の説明から明らかな如く、本願の特許請求の範囲における請求項１から請求項１４までのいずれかに記載された発明に係るデータ伝送方法、及び、本願の特許請求の範囲における請求項１８に記載された発明に係るデータ受信方法によれば、送信側において、ビット同期はとられているが水平同期及び垂直同期はとられていない、各々が、例えば、Ｄ１信号，Ｄ２信号，ＳＤＴＩ信号等とされる複数のディジタル映像信号、もしくは、斯かる複数のディジタル映像信号とビット付加信号との組合せに基づき、ワード同期データもしくはワード同期データを含む付加ワードデータグループの挿入処理、さらには、８Ｂ／１０Ｂ変換手段を内蔵したＰ／Ｓ変換手段が用いられて行われる８Ｂ／１０Ｂ変換処理及びＰ／Ｓ変換処理を経て形成されるシリアルデータ、とされて送出される複合ワード列データには、それにおける複数のディジタル映像信号のうちの一つについての特定の位置に対応する部分に、８Ｂ／１０Ｂ変換後のワード同期データが挿入されていることになる。
【手続補正１７】
【補正対象書類名】明細書
【補正対象項目名】０１４９
【補正方法】変更
【補正の内容】
【０１４９】
そして、複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１８に記載された発明に係るデータ受信方法にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正１８】
【補正対象書類名】明細書
【補正対象項目名】０１５０
【補正方法】変更
【補正の内容】
【０１５０】
特に、本願の特許請求の範囲における請求項１から請求項１４までのいずれかに記載された発明に係るデータ伝送方法によれば、ワード同期データもしくはワード同期データを含む付加ワードデータグループが挿入された第２のワード列データに対する８Ｂ／１０Ｂ変換，それにより得られる複合ワード列データのシリアルデータへの変換、及び、変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、８Ｂ／１０Ｂ変換部を内蔵したＰ／Ｓ変換ＩＣ素子等を含む比較的容易に整えることができる手段を用いて伝送することができることになる。
【手続補正１９】
【補正対象書類名】明細書
【補正対象項目名】０１５１
【補正方法】変更
【補正の内容】
【０１５１】
また、本願の特許請求の範囲における請求項１５から請求項１７までのいずれかに記載された発明に係るデータ伝送装置、及び、本願の特許請求の範囲における請求項１９に記載された発明に係るデータ受信装置によれば、送信側においては、ビット同期はとられているが水平同期及び垂直同期はとられていない、各々が、例えば、複数のＤ１信号，Ｄ２信号，ＳＤＴＩ信号等とされる複数のディジタル映像信号、もしくは、斯かる複数のディジタル映像信号とビット付加信号との組合せに基づき、ワード同期データ挿入処理、さらには、８Ｂ／１０Ｂ変換手段を内蔵したＰ／Ｓ変換手段が用いられて行われる８Ｂ／１０Ｂ変換処理及びＰ／Ｓ変換処理を経て形成されるシリアルデータ、とされて送信手段により送出される複合ワード列データには、それにおける複数のディジタル映像信号のうちの一つについての特定の位置に対応する部分に、８Ｂ／１０Ｂ変換後のワード同期データが挿入されていることになる。
【手続補正２０】
【補正対象書類名】明細書
【補正対象項目名】０１５２
【補正方法】変更
【補正の内容】
【０１５２】
そして、送信手段により送出される、複合ワード列データが変換されたシリアルデータを受ける受信側において、シリアルデータに変換されて伝送された複合ワード列データ中の８Ｂ／１０Ｂ変換後のワード同期データが、複数のディジタル映像信号もしくは複数のディジタル映像信号とビット付加信号とを再生するための処理に必要とされるワード同期データとして、適正に検出されることになるものとされる。また、複合ワード列データに含まれる各ワード列データは、８Ｂ／１０Ｂ変換処理を経て得られるものとされることにより、選択された内容を有する１０ビットワードが用いられて形成され、良好な伝送品質をもたらすことになる。それゆえ、本願の特許請求の範囲における請求項１９に記載された発明に係るデータ受信装置にあっては、良好な伝送品質が得られるもとで受信される複合ワード列データに基づく複数のディジタル映像信号もしくは複数のディジタル映像信号とビット付加信号との再生、のための処理に必要とされるデータ同期状態が、確実に得られる状態が確保される。
【手続補正２１】
【補正対象書類名】明細書
【補正対象項目名】０１５３
【補正方法】変更
【補正の内容】
【０１５３】
特に、本願の特許請求の範囲における請求項１５から請求項１７までのいずれかに記載された発明に係るデータ伝送装置によれば、ワード同期データもしくはワード同期データを含む付加ワードデータグループが挿入された第２のワード列データに対する８Ｂ／１０Ｂ変換，それにより得られる複合ワード列データのシリアルデータへの変換、及び、変換されたシリアルデータの送信、さらには、受信側における、シリアルデータの受信，受信されたシリアルデータの複合ワード列データへの変換等を、例えば、ファイバーチャンネル・システムのもとにおけるディジタルデータの送信及び受信に用いられる伝送回路ディバイスを利用して行うことができる。従って、伝送されるべきデータに基づいて、ワード同期データを含むとともに８Ｂ／１０Ｂ変換処理が施されたものとされるワード列データが形成され、そのワード列データがシリアルデータに変換されて送出される伝送方式をもって、ビット同期はとられているが水平同期及び垂直同期はとられていない、各々が、例えば、Ｄ１信号，Ｄ２信号，ＳＤＴＩ信号等とされる複数のディジタル映像信号を、８Ｂ／１０Ｂ変換部を内蔵したＰ／Ｓ変換ＩＣ素子等を含む比較的容易に整えることができる手段を用いて伝送することができることになる。
【手続補正２２】
【補正対象書類名】明細書
【補正対象項目名】図１７
【補正方法】変更
【補正の内容】
【図１７】  本願の特許請求の範囲における請求項１から請求項３まで及び請求項１０から請求項１４までのいずれかに記載された発明に係るデータ伝送方法の一例に従って送出される光信号を、本願の特許請求の範囲における請求項１８に記載された発明に係るデータ受信方法の一例に従って受信する、本願の特許請求の範囲における請求項１９に記載された発明に係るデータ受信装置の一例を示すブロック構成図である。
【手続補正２３】
【補正対象書類名】明細書
【補正対象項目名】図１９
【補正方法】変更
【補正の内容】
【図１９】  本願の特許請求の範囲における請求項１から請求項３まで及び請求項７から請求項１４までのいずれかに記載された発明に係るデータ伝送方法の一例に従って送出される光信号を、本願の特許請求の範囲における請求項１８に記載された発明に係るデータ受信方法の他の例に従って受信する、本願の特許請求の範囲における請求項１９に記載された発明に係るデータ受信装置の他の例を示すブロック構成図である。
【手続補正２４】
【補正対象書類名】明細書
【補正対象項目名】図２１
【補正方法】変更
【補正の内容】
【図２１】  本願の特許請求の範囲における請求項１，請求項４から請求項６まで及び請求項１０から請求項１４までのいずれかに記載された発明に係るデータ伝送方法の一例に従って送出される伝送信号を、本願の特許請求の範囲における請求項１８に記載された発明に係るデータ受信方法のさらに他の例に従って受信する、本願の特許請求の範囲における請求項１９に記載された発明に係るデータ受信装置のさらに他の例を示すブロック構成図である。